(57)【特許請求の範囲】
【請求項１】
柄及び該柄の一端に設けられてなるブラシ台を構成するハウジングと、
前記ハウジングに収容されてなる電気回路と、
前記ブラシ台に突設されてなる複数の皮膚刺激ブラシ用ピンと、を備えてなり、
前記皮膚刺激ブラシ用ピンは、
前記電気回路から導電可能に前記電気回路に接続された金属製の基底部材と、
細長の筒体であって、前記基底部材が基端部に配設されてなる胴部材と、
前記胴部材の先端側の開口に接続されて、先端が露出してなる電極部材と、
前記胴部材の筒内部に空隙を設けて挿通されて、前記基底部材と前記電極部材とを、前記胴部材の長さ方向に押し縮められた状態で連結する金属軸と、を有し、
前記金属軸は、径方向に屈曲可能な柔軟性を有してなり、
前記胴部材は、径方向に屈曲可能な弾性を有してなる
ことを特徴とする皮膚刺激ブラシ。
【請求項２】
前記金属軸は、前記電極部材を先端側に付勢してなるコイルバネである
ことを特徴とする請求項１に記載の皮膚刺激ブラシ。
【請求項３】
前記胴部材は、長さ方向に対する可撓性を有してなり、
前記電極部材が基端側に押し込まれた際に、前記胴部材が長さ方向に押縮められる
ことを特徴とする請求項１又は２に記載の皮膚刺激ブラシ。
【請求項４】
前記胴部材と前記ブラシ台とが一体として形成されてなる
ことを特徴とする請求項１〜３のいずれか一つに記載の皮膚刺激ブラシ。
【請求項５】
前記基底部材は、前記金属軸の基端部と一体として構成された前記金属軸の一部分として構成されてなる
ことを特徴とする請求項１〜４のいずれか一つに記載の皮膚刺激ブラシ。
【請求項６】
前記電極部材は、耐食性を有する
ことを特徴とする請求項１〜５のいずれか一つに記載の皮膚刺激ブラシ。
【請求項７】
前記電極部材は、ステンレスにより構成されてなる
ことを特徴とする請求項１〜６のいずれか一つに記載の皮膚刺激ブラシ。
【請求項８】
前記胴部材は、耐水性を有する
ことを特徴とする請求項１〜７のいずれか一つに記載の皮膚刺激ブラシ。
【請求項９】
前記胴部材は、シリコーンゴムによって形成されてなる
ことを特徴とする請求項１〜８のいずれか一つに記載の皮膚刺激ブラシ。
【請求項１０】
前記電気回路は、低周波電流を、前記基底部材から前記金属軸を介して前記電極部材に対して印加可能に構成されてなる
ことを特徴とする請求項１〜９のいずれか一つに記載の皮膚刺激ブラシ。
【発明の詳細な説明】
【技術分野】
【０００１】
本発明は、皮膚を電気的に刺激する皮膚刺激ブラシに関する。
【背景技術】
【０００２】
従来のブラシとしては、例えば樹脂で形成されてなり、柄と、柄の先端に設けられたブラシ台と、ブラシ台から立設された複数のブリッスルとを有するものが知られている。
【０００３】
また、頭皮をマッサージ可能なブラシとして、以下の構成を備える育毛ブラシが知られている。
「育毛材などの溶液を入れた容器と、この容器に接続して前記溶液を頭皮に吐出するブリッスルと、生体を電気的に刺激する電流の電源と、この電源に接続して前記電流を頭皮に流すブリッスルと、を備えてなる育毛ブラシ。」
【先行技術文献】
【特許文献】
【０００４】
【特許文献１】特開２００３−３１９８３５号公報
【発明の概要】
【発明が解決しようとする課題】
【０００５】
しかし、従来技術は皮膚に電流を流すブリッスルが表面に露出されていたことから、整髪料等の薬剤や汗によってブリッスルが膨潤劣化し、使用につれて導電性が低下するという問題があった。
【課題を解決するための手段】
【０００６】
そこで、上記課題を解決する手段として本発明に係る皮膚刺激ブラシは、柄及び該柄の一端に設けられてなるブラシ台を構成するハウジングと、前記ハウジングに収容されてなる電気回路と、前記ブラシ台に突設されてなる複数の皮膚刺激ブラシ用ピンと、を備えてなり、前記皮膚刺激ブラシ用ピンは、前記電気回路から導電可能に前記電気回路に接続された金属製の基底部材と、細長の筒体であって、前記基底部材が基端部に配設されてなる胴部材と、前記胴部材の先端側の開口に接続されて、先端が露出してなる電極部材と、前記胴部材の筒内部に空隙を設けて挿通されて、前記基底部材と前記電極部材とを、前記胴部材の長さ方向に押し縮められた状態で連結する金属軸と、を有し、前記金属軸は、径方向に屈曲可能な柔軟性を有してなり、前記胴部材は、径方向に屈曲可能な弾性を有してなることを特徴とする。
【０００７】
上記構成によれば、電極部材に対して電流を印加する金属軸が胴部材の筒内部に挿通されてなることから、金属軸が直接皮膚や体毛に付着した皮脂、水分、シャンプー、化粧品等に触れない。これにより、電気回路から電極部材までの電流の経路となる金属軸の腐食を抑制することができ、長期間導電性の低下を抑制することができる。
【０００８】
また、前記電極部材は、耐食性を有することとしてもよい。
【０００９】
この場合は、直接皮膚と当接する電極部材が耐食性を有することにより、電極部材に皮脂、水分、シャンプー、化粧品等が付着した場合であっても、電極部材が錆びにくい。これにより、電極部材の腐食が抑制されて、電極部材の導電性の低下を抑制することができる。
【００１０】
また、前記電極部材は、ステンレスにより構成されてなることとしてもよく、また、銅、アルミニウム、銀、金、若しくは金を用いてもよい。
【００１１】
また、前記金属軸は、径方向に屈曲可能な柔軟性を有してなり、前記胴部材は、径方向に屈曲可能な弾性を有してなることとしてもよい。
【００１２】
径方向とは、皮膚刺激ブラシ用ピンの長さ方向を軸方向と仮定した際の半径方向をいう。しかしながら、本記載は金属軸若しくは胴部材の形状を円柱形状や円筒形状に限定するものではない。
【００１３】
この場合は、胴部材と胴部材の筒内部に挿通された金属軸とが径方向に屈曲することができる。これにより、皮膚刺激ブラシ用ピンの使用時に皮膚刺激ブラシ用ピンに対して皮膚から加わる力に応じて皮膚刺激ブラシ用ピンが径方向に屈曲することができる。このため、皮膚刺激ブラシ用ピンに皮膚の押圧に伴う屈曲状態からの弾性によるマッサージ効果を実現させることができる。また、既に上述した構成と組み合わさることで、金属軸による確実な電気導電性を具備させ、かつ、皮脂、水分、シャンプー、化粧品等との接触に起因する導電性の経時的な低下を抑制する効果を発揮させることができる。
【００１４】
また、前記金属軸は、前記電極部材を先端側に付勢するコイルバネであり、前記電極部材に対して基端側に働く力が与えられた際に、前記電極部材は前記コイルバネの付勢力に抗して基端側に押し込まれることとしてもよい。
【００１５】
この場合は、電極部材をコイルバネの付勢力に抗して基端側に押し込むことができる。このため、皮膚刺激ブラシ用ピンが皮膚と当接した際に、皮膚との当接により生ずる圧力によって電極部材が基端側に押し込まれる。さらに、電極部材が基端側に押し込まれた状態では、電極部材に対してコイルバネの付勢力が先端側に加わる。これによって、電極部材が皮膚を押圧した際に、電極部材と皮膚との衝突による衝撃を緩和させる。これにより、使用者の力のかけ具合の調節を容易とすることができる。
【００１６】
また、前記胴部材は、長さ方向に対する可撓性を有してなり、前記電極部材が基端側に押し込まれた際に、前記胴部材が長さ方向に押縮められることとしてもよい。
【００１７】
この場合は、電極部材が基端側に押し込まれた際に、胴部材が長さ方向に押縮められる。さらに、胴部材は可撓性を有してなる。このため、電極部材が基端側に押し込まれた際に、コイルバネの付勢力に加えて胴部材の復元力が先端側に加わる。これによって、皮膚刺激ブラシ用ピンの使用者に対して、電極部材が皮膚を強く押圧することによっても不意に皮膚を傷つけることがない。さらに、前記付勢力と復元力とによって、電極部材と皮膚との確実な接触を確保しつつ、使用者に対して心地よい刺激を伴った押圧感を与えることができる。
【００１８】
また、前記胴部材は、耐水性を有することとしてもよい。
【００１９】
この場合は、胴部材が耐水性を有してなることにより、胴部材の筒内部に水分が浸入することを抑制することができる。このため、筒内部に挿通された金属軸に水分が触れることを抑制することができる。これによって、金属軸の腐食を抑制して金属軸の導電性の低下を抑制することができる。
【００２０】
また、前記胴部材は、シリコーンゴムによって形成されてなることとしてもよい。
【００２１】
この場合は、シリコーンゴムが耐水性を有してなると共に、人体に対しても安全である。このため、安心して皮膚刺激ブラシ用ピンを使用することができる。
【００２２】
また、前記電気回路は、低周波電流を、前記基底部材から前記金属軸を介して前記電極部材に対して印加可能に構成されてなることとしてもよい。
【００２３】
この場合、基底部材に対して印加された低周波電流が金属軸を流れて電極部材が導電される。このため、導電された電極部材が皮膚と当接する際に、皮膚に対して低周波電流を印加する。また、低周波電流は皮膚の表面付近に作用する性質を有する。これによって、皮膚の表面付近を特に標的として電気刺激を与えることができる。
【発明の効果】
【００２４】
本発明によれば、金属軸が皮膚や体毛に付着した皮脂、水分、シャンプー、化粧品等に直接触れないことから金属軸の腐食を抑制することができる。このため、金属軸の導電性の低下を抑制することができる。これによって、導電性の低下を抑制した皮膚刺激ブラシを提供することができる。そして、電気刺激の強度を維持させたいとする使用者のニーズにも応えることができる。
【００２５】
また、胴部材を径方向に対する弾性及び長さ方向に対する可撓性を筒体に構成した場合にあっては、皮膚刺激ブラシの使用者に対して、電極部材が皮膚を強く押圧することによっても不意に皮膚を傷つけることがない。さらに、前記付勢力と復元力とによって、電極部材と皮膚との確実な接触を確保しつつ、使用者に対して心地よい刺激を伴った押圧感を与えることができる。
【００２６】
さらに、本発明によれば、電極部材から皮膚に対して与えられる低周波電流が、皮膚の血流を増加させて細胞の代謝を活発化させることができる。これにより、毛髪が生えている部位の皮膚を刺激すれば抜け毛を抑制することができる。また、顔の皮膚を刺激すれば、即効性のある皮膚のリフトアップ効果を発揮することができ、化粧を行う前の肌の状態を改善し、化粧のりを良くすることができる。
【００２７】
さらにまた、前記皮膚のリフトアップ効果は、顔以外の皮膚に対しても引き締め効果として発揮でき、皮膚のたるみを抑制することができる。
【図面の簡単な説明】
【００２８】
【図１】皮膚刺激ブラシ１の左側面図である。
【図２】皮膚刺激ブラシ１の正面図である。
【図３】本発明に係る皮膚刺激ブラシ１の皮膚刺激ブラシ用ピン１０の拡大図である。
【図４】本発明に係る皮膚刺激ブラシ１の皮膚刺激ブラシ用ピン１０の拡大断面図である。
【発明を実施するための形態】
【００２９】
以下、本発明に係る実施の形態を、図を参照しながら詳しく説明する。なお、本明細書及び図面において、実質的に同一の機能構成を有する構成要素については、同一の符号を付することにより重複説明を省略する。また、下記で示す実施の形態は、本発明の一例を示すものである。したがって、本発明の技術的範囲は本実施形態に限定されるものではない。
【００３０】
まず初めに、図１及び図２を参照して、本実施形態に係る皮膚刺激ブラシ１の構成の一例を説明する。図１は皮膚刺激ブラシ１の左側面図である。図２は皮膚刺激ブラシ１の正面図である。
【００３１】
皮膚刺激ブラシ１は、柄３と柄３の一端に設けられてなるブラシ台４とを有してなる。柄３及びブラシ台４は、ハウジング２によって構成されてなる。ブラシ台４には、皮膚刺激ブラシ用ピン１０が複数個突設されてなる。ハウジング２には、電気回路６が収容されてなる。
【００３２】
柄３は、下端から中間部に掛けて拡径し、上端に向かうにつれて縮径する楕円柱状に形成されてなる。柄３の一端は、ブラシ台４と接続されてなる。柄３は、使用者によって手で握られる部分である。柄３は、例えば樹脂等で形成することができる。柄３の周面は、ハウジング２として構成されてなる。
【００３３】
ブラシ台４は、背面が膨出したブロック状に形成されてなる。ブラシ台４の一端は、柄３の一端と接続されてなる。ブラシ台４には、皮膚刺激ブラシ用ピン１０が複数個突設されてなる。ブラシ台４は、例えば樹脂等で形成することができる。ブラシ台４の周面はハウジング２として構成されてなる。ブラシ台４には、皮膚刺激ブラシ用ピン１０が挿通されるブラシ台孔５が複数個形成されてもよい。ブラシ台孔５は、ハウジング２を貫通する小孔に形成されてなる。ブラシ台孔５は、ブラシ台４の一側面に散りばめて形成されてなる。本実施形態で示す一例ではブラシ台４は、背面が膨出したブロック状に形成されてなり、ブラシ台孔５が穿設されてなることとしたが、ブラシ台４の形状はこれに限定されるものではなく、複数個の皮膚刺激ブラシ用ピン１０を突設することができるものであればよい。例えば、ブラシ台孔５の代わりに、皮膚刺激ブラシ用ピン１０の胴部材３０とブラシ台４とが一体として形成されてなることとしてもよい。
【００３４】
柄３とブラシ台４とは、前後に分割された二つのハウジング２が接合されることによって形成されてなる。柄３とブラシ台４とは一体形成されてもよく、独立した柄３とブラシ台４とを柄３の一端とブラシ台４の一端とで接合することにより構成されてもよい。
【００３５】
ハウジング２は、柄３とブラシ台４とを構成する。ハウジング２の内部には、電気回路６が収容されてなる。ハウジング２は、電気回路６に加えて、電気回路６と接続されたバッテリーや電池を収容することとしてもよい。ハウジング２には、充電に用いられるコネクタが設けられてもよい。ハウジング２は、電池ケースを収容することとしてもよい。
【００３６】
電気回路６は、ハウジング２に収容されてなる。電気回路６は、プリント基板によって構成されてなることとしてもよい。電気回路６は、複数個のスルホール７が穿たれてなる。スルホール７は、電気回路６をハウジング２に収容したときにブラシ台孔５に対応する位置に穿たれてなる。電気回路６には、バッテリーや電池が接続されてもよい。電気回路６は、低周波電流を基底部材２０に対して印加可能に構成されてもよい。例えば、電気回路６には、公知の各種低周波電流発生器若しくは低周波変調器を設けてもよい。
【００３７】
次に、図３及び図４を参照して、本実施形態に係る皮膚刺激ブラシ１の皮膚刺激ブラシ用ピン１０の一例について説明する。図３は本発明に係る皮膚刺激ブラシ１の皮膚刺激ブラシ用ピン１０の拡大図である。図４は本発明に係る皮膚刺激ブラシ１の皮膚刺激ブラシ用ピン１０の拡大断面図である。
【００３８】
皮膚刺激ブラシ用ピン１０は、電気回路６から導電可能に電気回路６に接続できる金属製の基底部材２０を有する。皮膚刺激ブラシ用ピン１０は、細長の筒体であって、基底部材２０が基端部に配設されてなる胴部材３０を有してなる。皮膚刺激ブラシ用ピン１０は、胴部材３０の先端側に設けられた開口である先端開口部３４に接続されて、先端が露出してなる電極部材５０を有してなる。皮膚刺激ブラシ用ピン１０は、胴部材３０の筒内部に挿通されて、基底部材２０と電極部材５０とを連結する金属軸４０を有してなる。
【００３９】
基底部材２０は、皮膚刺激ブラシ用ピン１０の長さ方向の軸を中心とした回転体に形成されてなる。基底部材２０は中密に形成されてなる。基底部材２０は、基端部に細長形状のピン２１が突設されてなる。ピン２１は、基底部材２０の本体から基端側に向かって突設されてなる。基底部材２０は、本体部の側周に基底フランジ２２が設けられてなる。基底部材２０は、先端部に柱状に形成された基底凸部２３が突設されてなる。基底部材２０は金属によって形成されてなる。基底部材２０は、ステンレスによって形成されてなる。
【００４０】
図３に示すように、基底部材２０は、電気回路６から導電可能に電気回路６に接続されてなる。基底部材２０は、ピン２１がスルホール７に挿入されてなる。基底部材２０は、ピン２１がスルホール７に挿入されることで、ピン２１とスルホール７とが当接して電気回路６と接続されてなる。本実施形態で示す一例では、基底部材２０はピン２１がスルホール７と当接することで電気回路６と接続されることとしたが、電気回路６との接続方法はこれに限られるものではなく、基底部材２０が電気回路６と接続されるものであれば各種方法を採用することができる。例えば、基底部材２０に対して電気回路６と接続された導電性コードが接続されることとしてもよい。
【００４１】
図３及び図４に示すように、本実施形態で示す一例では、基底部材２０は独立した部品として構成したが、基底部材２０の構成はこれに限られるものではなく、金属軸４０を導電させることができるものであれば各種方法を採用することができる。例えば、基底部材２０は金属軸４０の基端部と一体として構成された金属軸４０の一部分として構成してもよい。
【００４２】
胴部材３０は、細長の筒体であって、基底部材２０が基端部に配設されてなる。胴部材３０は、円筒状に形成されてなる。胴部材３０は、先端に向かって縮径して形成されてなる。胴部材３０は、先端に向かって徐々に外径が縮径するのと対応して、先端に向かって徐々に内径も縮径されてなる。胴部材３０は、基端側の開口である基端開口部３１と、先端側の開口である先端開口部３４とが形成されてなる。胴部材３０は、基端部の外周面にフランジ状の胴抜け止め部３２が形成されてなる。胴部材３０は、先端部の内面において段差を形成して内径が縮径した縮径部３３が形成されてなる。胴部材３０の基端側開口部には、基底部材２０の上半部が先端側に向かって挿嵌されてなる。
【００４３】
胴部材３０は、基端の基端開口部３１の縁が基底部材２０の基底フランジ２２の先端側面と当接してなる。胴部材３０は、胴抜け止め部３２がハウジング２の内側面と当接してなる。胴部材３０は、胴抜け止め部３２がハウジング２のブラシ台孔５の縁に引っ掛かることでブラシ台孔５から抜けないように抜け止めされてなる。胴部材３０は、基端の基端開口部３１の縁が基底部材２０の基底フランジ２２の先端側面と当接すると共に、胴抜け止め部３２の先端側面がハウジング２の内側面と当接することで、基端部がブラシ台４に固定されてなる。
【００４４】
胴部材３０は、皮膚刺激ブラシ用ピン１０の長さ方向を軸として径方向に屈折可能な弾性を有してなることが好ましいい。また、胴部材３０は、シリコーンゴムによって形成されてなることがより好ましい。
【００４５】
胴部材３０は、長さ方向に対する可撓性を有してなることとしてもよい。また、胴部材３０は、長さ方向に対する可撓性を有してなると共に、電極部材５０が基端側に押し込まれた際に、胴部材３０が長さ方向に押縮められることが可能に形成されてなることが好ましい。
【００４６】
胴部材３０は、耐水性を有してなることが好ましい。
【００４７】
本実施形態で示す一例では、胴部材３０は、円筒状に形成されてなることとしたが、胴部材３０の形状はこれに限定されるものではなく、種々の形状の細長の筒体に形成することができる。例えば、胴部材３０の断面形状は、円形、楕円形、四角形、五角形等の形状とすることができる。
【００４８】
胴部材３０の基端部は、ブラシ台４に対して隙間なく配設されてなることで、胴部材３０の抜け止め部３２が、ハウジング２の内側面と当接してシーリングしてなる。
【００４９】
胴部材３０の基端部には、基底部材２０が隙間なく配設されてなる。胴部材３０の基端開口部３１には、基底部材２０が密着して内嵌されてなる。
【００５０】
金属軸４０は、胴部材３０の筒内部に挿通されて、基底部材２０と電極部材５０とを連結する。金属軸４０は、基端が基底部材２０と当接してなる。金属軸４０は、先端が電極部材５０の軸部５１と当接してなる。金属軸４０は、先端部が接着剤６０によって電極部材５０の軸部５１と当接した状態に固定されてなる。金属軸４０の基端部は、基底部材２０の基底凸部２３に外嵌してなる。金属軸４０は、胴部材３０の基端に先端側に向かって内嵌されてなる基底部材２０によって、長さ方向に押縮められてなる。
【００５１】
金属軸４０は、皮膚刺激ブラシ用ピン１０の長さ方向を軸とした径方向に屈曲可能な柔軟性を有してなることが好ましい。金属軸４０は、電極部材５０を先端側に付勢するコイルバネによって構成されてなることがより好ましい。金属軸４０であるコイルバネは、常時電極部材５０を先端側に付勢してなることが好ましい。しかし、常時電極部材５０を先端側に付勢していない場合であっても、電極部材５０が基端側に押し込まれた際に電極部材５０を先端側に付勢するものであればよい。コイルバネは、基底部材２０と電極部材５０とによって挟まれて、押縮められてなることが好ましい。
なお、本実施形態で示す一例では、金属軸４０をコイルバネによって構成することとしたが、金属軸４０はコイルバネに限定されるものではなく、基底部材２０と電極部材５０とを連結して電極部材５０を導電させることができるものであれば種々の形状によって形成することができる。例えば、柱体、ワイヤー体、筒体等に形成することができる。
【００５２】
電極部材５０は、胴部材３０の先端側の開口に接続されて、先端が露出してなる。電極部材５０は、中密のブロック体に形成されてなる。電極部材５０は、中間部から基端側が細長の軸部５１に形成されてなる。軸部５１の中間部の周面には、フランジ状の電極抜け止め部５２が形成されてなる。電極部材５０は、軸部５１が胴部材３０の先端開口部３４に内嵌されてなる。電極抜け止め部５２は、胴部材３０の縮径部３３の基端に形成された段差と係合してなる。軸部５１の基端部は、金属軸４０の先端と当接してなる。電極部材５０の基端部は、金属軸４０の先端と当接した状態に、接着剤６０によって固定されてなる。電極部材５０は、コイルバネである金属軸４０によって先端側に付勢されてなる。電極部材５０は、先端が曲面に形成されてなる。
【００５３】
電極部材５０は耐食性を有することとしてもよい。電極部材５０は、ステンレスによって構成されてなることがより好ましい。なお、電極部材５０は、ステンレス以外であっても、クロムを含有した金属や、メッキ処理等の防食加工がなされた導体であれば好ましい。また、電極部材５０には、銅、アルミニウム、銀、金、若しくは金を用いることもできる。
【００５４】
また、電極部材５０は、胴部材３０の先端側の開口である先端開口部３４に隙間なく接続されてなる。電極部材５０は、胴部材３０の先端開口部３４に密着した状態で接続されてなる。
【００５５】
接着剤６０は、電極部材５０の軸部５１の周囲である胴部材３０の筒内部に充填されてなる。接着剤６０は、電極部材５０の基端部と金属軸４０先端とが当接する状態を固定してなる。接着剤６０は、例えばＲＴＶ（Room  Temperature  Vulcanizing）ゴム等の種々の接着剤６０を使用することができる。また、接着剤６０は導電性接着剤であることが好ましい。
【００５６】
以下では、本実施形態に係る皮膚刺激ブラシ１の一例の使用手順に沿って、皮膚刺激ブラシ１の作用及び効果について説明する。
【００５７】
まず初めに、皮膚刺激ブラシ１の使用者は、ハウジング２に設けられた皮膚刺激ブラシ１の電源（図示しない。）を入れる。
【００５８】
本実施形態の一例に示す皮膚刺激ブラシ１にあっては、電源が入ることで、電気回路６に電流が流れる。また、基底部材２０は、電気回路６から導電可能に電気回路６に接続されてなる。より具体的には、基底部材２０は、ピン２１がスルホール７と当接してスルホール７に挿通されてなる。これにより、電気回路６に流れた電流によって基底部材２０が導電される。次に、金属軸４０は、導電された基底部材２０と当接してなる。これにより、基底部材２０から金属軸４０に電流が流れる。さらに、金属軸４０は、電極部材５０と当接してなる。これにより、金属軸４０に流れた電流が電極部材５０に流れる。これによって、電極部材５０に電流が導電される。
【００５９】
また、本実施形態の一例に示す皮膚刺激ブラシ１にあっては、電気回路６が低周波電流を基底部材２０に対して印加可能に構成されてなる場合、例えば、電気回路６が低周波電流発生器若しくは低周波変調器を有する場合には、基底部材２０に低周波電流が印加される。これにより、基底部材２０から金属軸４０を経由して電極部材５０に低周波電流が流れる。
【００６０】
次に、電極部材５０が導電された皮膚刺激ブラシ１を皮膚に当接させてマッサージを行う。この場合、胴部材３０から先端が露出してなる電極部材５０と皮膚とが当接して、皮膚に電気刺激と押圧刺激が加えられる。
【００６１】
皮膚としては、頭皮を含む身体中の皮膚を対象とすることができる。頭皮や身体中の皮膚若しくは、これらに生えている体毛には、皮脂、水分、シャンプー、化粧品等が付着していることがある。これらの液体は、従来の皮膚刺激ブラシを劣化させて導電性を低下させることがあった。すなわち、従来の皮膚刺激ブラシに使用されていたブリッスルは金属や導電性樹脂により形成されることがあった。これらのブリッスルを用いて皮膚を刺激する場合には、以下の問題が発生していた。金属により形成されてなるブリッスルを用いて皮膚を刺激する場合には、皮膚に付着した水分等により、ブリッスルを形成する金属が腐食されて導電性が低下するという問題があった。また、ブリッスルが導電性樹脂により形成されてなる場合には、樹脂が水分等を吸収して劣化することによって、導電性樹脂の導電性が低下するという問題があった。これらの問題は、皮膚刺激ブラシ自体の寿命を低下させてしまうことから、使用者の長期にわたって電気刺激の強度を維持させたいとするニーズに十分に応えることができるものではなかった。
【００６２】
そこで、本実施形態の一例に示す皮膚刺激ブラシ１にあっては、電流の経路となる金属軸４０が、胴部材３０の筒内部に挿通されてなることによって、金属軸４０が直接皮膚や体毛に付着した皮脂、水分、シャンプー、化粧品等に触れない。これによって、電気回路６から電極部材５０までの電流の経路となる金属軸４０の腐食を抑制することができ、長期間導電性の低下を抑制することができる。さらに、これによって皮膚に対する電気刺激の強度を長期にわたって維持することができ、金属軸４０のみならず皮膚刺激ブラシ１全体としての寿命が延びる。
【００６３】
また、本実施形態の一例に示す皮膚刺激ブラシ１に取付けられた複数の皮膚刺激ブラシ用ピン１０における一部の皮膚刺激ブラシ用ピン１０のみが、化粧品等の付着により導電性が劣化する劣化のムラを防止することができる。
【００６４】
さらに、本実施形態の一例に示す皮膚刺激ブラシ１の胴部材３０が耐水性を有する場合にあっては、金属軸４０が挿通されてなる胴部材３０が筒内部に水分等を通しにくいことによって、金属軸４０が液体と接することがなく、金属軸４０の腐食を抑制するという効果がより顕著なものとなる。
【００６５】
さらに、本実施形態の一例に示す皮膚刺激ブラシ１の胴部材３０がシリコーンゴムによって形成されてなる場合にあっては、シリコーンゴムの物性により優れた耐水性を発揮して、金属軸４０の腐食を防止することができる。またさらに、シリコーンゴムで胴部材３０を形成した場合にあっては、胴部材３０が径方向に屈折可能な弾性を有する。また、同部材３０は、シリコーンゴムで形成されれば、長さ方向に対する可撓性も有してなる。
【００６６】
また、本実施形態の一例に示す皮膚刺激ブラシ１の電極部材５０が耐食性を有してなる場合にあっては、電極部材５０の腐食を抑制することができる。これによって、電極部材５０の導電性の低下を抑制することができる。
【００６７】
さらに、本実施形態の一例に示す皮膚刺激ブラシ１の電極部材５０がステンレスによって構成されてなる場合にあっては、電極部材５０が耐食性を有していることで電極部材５０の腐食を抑制して、導電性の低下を抑制することができる。加えて、電極部材５０をステンレスによって構成する場合にあっては、不動態被膜が再生する特性によって、より長期間にわたって電極部材５０の腐食を抑制することができると共に、導電性の低下を抑制することができる。なお、ステンレスの不動態被膜は極めて薄いため、皮膚への電気刺激効果を阻害するものではない。さらに、電極部材５０をステンレスによって構成した場合にあっては、容易に電極部材５０の加工性や強度を向上させることができる。
【００６８】
また、本実施形態の一例に示す皮膚刺激ブラシ１の胴部材３０と電極部材５０とが隙間なく互いに接続されてなる場合にあっては、胴部材３０と電極部材５０との間から胴部材３０の筒体内部に液体や湿気が浸入することを抑制することができる。これにより、金属軸４０の腐食を抑制して、導電性の低下を抑制することができる。
【００６９】
また、本実施形態の一例に示す皮膚刺激ブラシ１のブラシ台４と胴部材３０とが隙間なく互いに接続されてなる場合にあっては、胴部材３０とブラシ台４との間から胴部材３０の筒体内部に液体や湿気が浸入することを抑制することができる。これにより、金属軸４０若しくは基底部材２０の腐食を抑制して、導電性の低下を抑制することができる。
なお、胴部材３０と電極部材５０との接続部分並びに胴部材３０とブラシ台４との接続部分のそれぞれが隙間なく互いに密着してなる場合にあっては、胴部材３０の内部への液体や湿気の浸入が防止され、特に皮膚刺激ブラシ１の導電性の低下を防止すると共に、皮膚刺激ブラシ１の寿命を延ばすことができる。また、この構成は、シリコーンゴム等の弾性を有する胴部材３０を採用することで容易に構成することができる。
【００７０】
また、本実施形態の一例に示す皮膚刺激ブラシ１の電極部材５０の先端が曲面に形成されてなる場合にあっては、電極部材５０が皮膚に当接した際に良好な感触を得ることができる。
【００７１】
次に、皮膚刺激ブラシ１の皮膚刺激ブラシ用ピン１０を皮膚面に対して斜め方向から皮膚に押し当てる。
【００７２】
この場合、本実施形態の一例に示す皮膚刺激ブラシ１の金属軸４０が径方向に屈曲可能な柔軟性を有してなると共に、胴部材３０が径方向に屈曲可能な弾性を有してなるときは、胴部材３０と金属軸４０とが一体として径方向に屈曲することができる。これにより、胴部材３０の弾性によって生ずる復元力によって皮膚が押圧されて、良好なマッサージ効果を得ることができる。
【００７３】
さらに、本実施形態の一例に示す皮膚刺激ブラシ１の金属軸４０が第二の弾性を有することとした場合にあっては、胴部材３０の弾性による復元力に加えて、金属軸４０の第二の弾性による第二の復元力が作用して、より強く皮膚を押圧することができる。これにより、皮膚に対して電気刺激を与えつつ、さらに良好なマッサージ効果を得ることができる。また、例えば、金属軸４０をコイルバネによって構成することで、前述の第二の弾性を得ることができる。
【００７４】
次に、皮膚刺激ブラシ１の皮膚刺激ブラシ用ピン１０を皮膚面に対して垂直に上方から皮膚に押し当てる。
【００７５】
この場合、本実施形態の一例に示す皮膚刺激ブラシ１の金属軸４０がコイルバネにより構成されてなるときは、電極部材５０をコイルバネの付勢力に抗して基端側に押し込むことができる。これにより、電極部材５０が皮膚を押圧した際に、電極部材５０と皮膚との衝突による衝撃を緩和させることができる。これにより、使用者の皮膚刺激ブラシ１に対する力の掛け具合の調節が容易となる。
さらに、電極部材５０が基端側に押し込まれた状態では、電極部材５０に対してコイルバネの付勢力が先端側に伝わる。これにより、電極部材５０が皮膚を押圧することができ、より良好なマッサージを実現することができる。
また、電極部材５０は胴部材３０と共に基端側に押し込まれる構成に限られるものではなく、例えば、胴部材３０の先端開口部３４に対して摺動しながら基端側に押し込まれてもよい。
【００７６】
さらに、本実施形態の一例に示す皮膚刺激ブラシ１の胴部材３０が長さ方向に対する可撓性を有してなり、電極部材５０が基端側に押し込まれた際に胴部材３０が長さ方向に押縮められることとした場合にあっては、コイルバネの付勢力に加えて、押縮められた胴部材３０の先端側に向かう復元力が電極部材５０に対して作用する。これによって、より確実に皮膚と電極部材５０との接触を実現すると共に、より強い押圧刺激を得ることができる。なお、本実施形態に示す皮膚刺激ブラシ１にあっては、胴部材３０が押縮められる際に、筒内部の内径を拡張させながら押縮められることで、胴部材３０が縮む幅をより大きくすることが可能となり、より強い押圧感を得ることができる。
【００７７】
その他、本実施形態の一例に示す皮膚刺激ブラシ１によって生ずる作用効果を説明する。
【００７８】
本実施形態の一例に示す皮膚刺激ブラシ１によれば、電極部材５０から皮膚に対して与えられる低周波電流が、皮膚の血流を増加させて細胞の代謝を活発化させることができる。これにより、毛髪が生えている部位の皮膚を刺激すれば抜け毛を抑制することができる。また、顔の皮膚を刺激すれば、即効性のある皮膚のリフトアップ効果を発揮することができ、化粧を行う前の肌の状態を改善し、化粧のりを良くすることができる。
【００７９】
また、前記皮膚のリフトアップ効果は、顔以外の皮膚に対しても引き締め効果として発揮でき、皮膚のたるみを抑制することができる。
【００８０】
本実施形態の一例に示す皮膚刺激ブラシ１は、胴部材３０の基端部がハウジング２の内側面と電気回路６のハウジング２と対向する面とによって固定されてなる。これによって、皮膚刺激ブラシ用ピン１０がブラシ台孔５から抜けてしまったり、若しくは押し込まれてしまったりといった問題の発生を抑制することができる。
【００８１】
また、本実施形態の一例に示す皮膚刺激ブラシ１は、電極部材５０の電極抜け止め部５２が胴部材３０の縮径部３３と係合することで、電極部材５０が胴部材３０の先端開口部３４から抜けてしまうことを抑制することができる。
【００８２】
また、本実施形態の一例に示す皮膚刺激ブラシ１は、基底部材２０と電極部材５０とによってコイルバネが挟まれて、押縮められてなる。これにより、コイルバネに伸長力が蓄積されて、コイルバネと基底部材２０及び電極部材５０との当接がより確実となる。
【００８３】
また、本実施形態の一例に示す皮膚刺激ブラシ１は、金属軸４０と電極部材５０との当接部分が接着剤６０によって固定されてなる。さらに、接着剤６０としてシリコーンゴムと接着可能なＲＴＶゴムを使用可能である。これによって、金属軸４０と電極部材５０との当接がさらに確実となると共に、シリコーンゴムによって形成されてなる胴部材３０から電極部材５０が抜けてしまうことを防止することができる。
【００８４】
さらに、本実施形態の一例に示す皮膚刺激ブラシ１の接着剤６０を導電性接着剤とした場合にあっては、仮に金属軸４０と電極部材５０とが離間してしまっても、接着剤６０を電流が流れることで電極部材５０を導電させることができる。
【００８５】
さらに、本実施形態の一例に示す皮膚刺激ブラシ１の基底凸部２３がコイルバネの基端部に内嵌されてなる構成によれば、コイルバネの基端部における位置決めが確実となり、基底部材２０とコイルバネとの電気的接続が確実となる。
【００８６】
なお、上述した作用及び効果は、本実施形態の一例に示す皮膚刺激ブラシ１の作用及び効果であることに留意されたい。したがって、本実施形態の作用及び効果によって、本発明の技術的範囲は限定されるものではない。
【符号の説明】
【００８７】
１        皮膚刺激ブラシ
２        ハウジング
３        柄
４        ブラシ台
５        ブラシ台孔
６        電気回路
７        スルホール
１０      皮膚刺激ブラシ用ピン
２０      基底部材
２１      ピン
２２      基底フランジ
２３      基底凸部
３０      胴部材
３１      基端開口部
３２      胴抜け止め部
３３      縮径部
３４      先端開口部
４０      金属軸
５０      電極部材
５１      軸部
５２      電極抜け止め部
６０      接着剤
【要約】
【課題】  従来技術は皮膚に電流を流すブリッスルが表面に露出されていたことから、整髪料等の薬剤や汗によってブリッスルが膨潤劣化し、使用につれて導電性が低下するという問題があった。
【解決手段】  本発明に係る皮膚刺激ブラシ１の皮膚刺激ブラシ用ピン１０は、電気回路６から導電可能に前記電気回路６に接続できる金属製の基底部材２０と、細長の筒体であって、前記基底部材が基端部に配設されてなる胴部材３０と、前記胴部材の先端側の開口に接続されて、先端が露出してなる電極部材５０と、前記胴部材の筒内部に挿通されて、前記基底部材と前記電極部材とを連結する金属軸４０と、を有する
【選択図】  図４【図１】
0006966812.tif 000002
【図２】
0006966812.tif 000003
【図３】
0006966812.tif 000004
【図４】
0006966812.tif 000005